(57)【要約】      （修正有）【課題】打撃せずにテコの原理を用いて高さ調節ナットの設置及び分解が行われて作業の利便性及び容易性を与える建築用のサポートの高さ調節用のレンチを提供する。【解決手段】建築物のスラブの間に構成されてスラブを形成させるための合板型を支持する多数のサポートに用いられ、サポートの高さを調節してスラブの間に構成されたサポートの設置及び分解を行う高さ調節ナットに用いられ、高さ調節ナットは両端に対称な突起の形成される“Ａ”タイプ、突起が１２０°の等間隔で形成される“Ｂ”タイプ、及び、一端に突起が形成され、対称な方向に調節用のグリップが構成される“Ｃ”タイプを含み、“Ａ”タイプ乃至“Ｃ”タイプの高さ調節ナットにすべて適用されて高さ調節ナットの設置及び分解作業が行われるようにする高さ調節ナット用のレンチ１００が提供される。【選択図】図５
0003219922.tif 000002
【実用新案登録請求の範囲】
【請求項１】
建築物のスラブの間に構成されて前記スラブを形成するための合板型を支持する多数のサポートに用いられ、
前記サポートの高さを調節して前記スラブの間に構成されたサポートの設置及び分解を行う高さ調節ナット４０に用いられ、
前記高さ調節ナット４０は両端に対称な突起が形成される“Ａ”タイプ、突起が１２０°の等間隔で形成される“Ｂ”タイプ、及び、一端に突起が形成され、対称な方向に調節用のグリップが構成される“Ｃ”タイプを含み、
前記“Ａ”乃至“Ｃ”タイプの高さ調節ナット４０にすべて適用されて前記高さ調節ナット４０の設置及び分解作業が行われるようにする高さ調節ナット用のレンチ１００であって、
前記高さ調節ナット用のレンチ１００は、
前記高さ調節ナット４０に構成された突起を支持するように構成されるヘッド部１１０と、
前記ヘッド部１１０の一端から一定の長さほど伸びて作業者が把持するように構成されるグリップ部１２０と、を含み、
前記グリップ部１２０は、
一端が前記ヘッド部１１０の一端に固定され、一定の長さで形成される固定管１２２と、
前記固定管１１２から一定の長さほど伸びて必要に応じて、回転モメントを増やして高さ調節ナット４０の設置及び分解を容易にさせる補助管１２４と、を含み、
前記グリップ部１２０は、
前記固定管１２２から補助管１２４を引き出せない場合、常に挿入された状態を維持するように弾性力を提供するスプリング１２６と、
前記補助管１２４の一端には前記スプリング１２６の弾性力により、 前記補助管１２４が前記固定管１２２に復帰することを制限するストッパー１２８と、を含むことを特徴とするサポート用のレンチ。
【請求項２】
前記ヘッド部１１０は、
胴体１１２と、
前記胴体１１２の一端に構成された高さ調節ナット４０に構成された突起の挿入される挿入孔１１４と、
前記胴体１１２の他端に構成され、前記高さ調節ナット４０のうち、“Ａ”タイプ又は“Ｃ”タイプにおいて、他側に構成される突起又は調節用のグリップが密着することにより、前記高さ調節ナット４０の設置及び分解が容易であり、前記グリップ１２０が固定するように一定の長さで形成されるサポートネック１１６と、
前記胴体１１２の一側に構成された前記高さ調節ナット４０のうち、“Ｂ”タイプにおいて、ある一つの突起が挿入されるようにして、“Ｂ”タイプの高さ調節ナット４０の設置及び分解を可能にする挿入溝１１８と、を含むことを特徴とする請求項１に記載のサポート用のレンチ。
【考案の詳細な説明】
【技術分野】
【０００１】
本考案は、建築用のサポートの高さ調節ナット用のレンチに関し、より詳しくは、規格化した“Ａ”、“Ｂ”、及び“Ｃ”タイプの高さ調節ナットに全て適用され、打撃せずにテコの原理を用いて前記高さ調節ナットの設置及び分解が行われて作業の利便性及び容易性を与える建築用のサポートの高さ調節用のレンチを提供することにより、ノイズポリューション防止及び安全事故の発生を防止するサポート用のレンチに関する。
【背景技術】
【０００２】
一般に、土木又は建築現場においては、コンクリトを打設し養生するまで合板型を用い、前記合板型を支持する支持装置が用いられている。
【０００３】
その代表的な例は建築用のパイプサポートである。
【０００４】
このような建築用のパイプサポートは工事現場で多く用いられることにより、工事中、局部的に加えられる過度な上板構造物の圧縮荷重を均一な分布荷重に分散させて支持する機能を行う。
【０００５】
たとえば、図１に示したように、建物を施工する場合、上、下層を区分けするスラブ(slab)を施工するためには、まず、スラブを施工すべき部分の下部にスラブ合板型を設けるが、その施工過程において、根太及び大引きのような仮設ビーム(beam)により前記合板型を支持し、前記仮設ビームの下部をパイプサポートが支持するようになる。
【０００６】
前記仮設ビームの支持高さを合わせるために、パイプサポートは一般に高さ調整可能な構造で組み立てられる。
【０００７】
このような建築用のパイプサポートの代表的な例として、韓国登録実用新案第２０-３８９３８８号を参照すると、建築用のパイプサポートは、図２乃至図３に示したように、下端にベットプレート１１が設けられ、両側に長孔１３がそれぞれ形成された調節ネジ管１２が上端に設けられた下部パイプ１０と、前記下部パイプ１０に下端が離脱自在に挿入され、上端にサポートプレート２１が設けられ、外周面の両側に長さ方向に沿って所定の間隔で多数のピン孔２２がそれぞれ形成された上部パイプ２０と、前記長孔１３とピン孔２２を通じて上、下部パイプ１０、２０を固定する固定ピン３０、及び前記調節ネジ管１２に締結されて前記固定ピン３０の両端を支持する高さ調節ナット４０とからなる。
【０００８】
上述したような建築用のパイプサポートによれば、高さ調節ナット４０の回転に応じて前記高さ調節ナット４０が調節ネジ管１２から上昇するか下降して固定ピン３０の両端を支持することにより、前記調節ネジ管１２の長孔１３の長さほど、上部パイプ２０の高さを調節することができ、これにより、合板型を支持する仮設ビームの下部にパイプサポートを配置した状態において、その高さを調節して仮設ビームの下部を支持させるようにするか、またはパイプサポートを離脱させるようにする。
【０００９】
一方、図４に示したように、パイプサポートに用いられる高さ調節ナットは、その形状に応じて、  “Ａ”、“Ｂ”及び“Ｃ”タイプに分けられる。最も基本的な“Ａ”タイプは、両端に対称な部分に突起が形成された形状であり、“Ｂ”タイプは、突起が１２０°の等間隔で形成された形状であり、“Ｃ”タイプは“Ａ”タイプに似ており、一側に高さ調節グリップが形成され、他側に突起が形成されている。
【００１０】
しかしながら、従来のパイプサポート(以下、サポートと称する)の高さ調節を行う高さ調節ナットに対する専用工具が提供されていないので、ハンマーのような打撃用の工具を用いて、前記高さ調節ナットの一側に突出した突起を打撃させて前記高さ調節ナットを回転させることにより、設置及び分解工程が行われる。
【００１１】
この場合、打撃用の工具を用いて高さ調節ナットを打撃することにより発生するノイズにより現場の周りのノイズを増やすのみならず、金属性物質の打撃によるノイズポリューションにより周りの作業者の作業を妨げる要因を提供するという問題がある。
【００１２】
さらに、スラブの間の空間に設けられるサポートの確かな固定のために最後の締結がなされる部分では、最も大きな打撃力による打撃が行われ、そのとき、作業者の誤動作などのため、ハンマーが作業者の手から離脱して周囲の作業者に飛び込んで障害を与える安全事故の発生リスクを有する問題もある。
【００１３】
このような問題は、サポートを設ける場合のみならず、分解作業を行うときにも、発生する問題がある。
【先行技術文献】
【特許文献】
【００１４】
【特許文献１】韓国実用新案公報  第２０−４１２９９１号（２００６．０４．０５. 公告)
【特許文献２】韓国実用新案公報  第１０−１６２９４３８号   (２０１６．０６，１３. 公告)
【特許文献３】韓国実用新案公報  第１０−１６５５７８６号   (２０１６．０９．０８. 公告)
【考案の概要】
【考案が解決しようとする課題】
【００１５】
上記のような問題点を解決するために提案された本考案は、規格化した“Ａ”、“Ｂ”及び“Ｃ”タイプの高さ調節ナットに全て適用され、打撃せずにテコの原理を用いて前記高さ調節ナットの設置及び分解がなされて作業の利便性及び容易性を与える建築用のサポートの高さ調節用のレンチを提供することにより、ノイズポリューション防止及び安全事故の発生を防止するサポート用のレンチを提供することを目的とする。
【課題を解決するための手段】
【００１６】
上述した目的を達成するための本考案は、建築物のスラブの間に構成されて前記スラブを形成させるための合板型を支持する多数のサポートに用いられ、前記サポートの高さを調節して前記スラブの間に構成されたサポートの設置及び分解を行う高さ調節ナットに用いられ、前記高さ調節ナットは両端に対称な突起の形成される“Ａ”タイプ、突起が１２０°の等間隔で形成される“Ｂ”タイプ、及び、一端に突起が形成され、対称な方向に調節用のグリップが構成される“Ｃ”タイプを含み、前記“Ａ”タイプ乃至“Ｃ”タイプの高さ調節ナットにすべて適用されて前記高さ調節ナット４０の設置及び分解作業が行われるようにする高さ調節ナット用のレンチ１００が提供されることを特徴とする。
【００１７】
本考案において、サポート用のレンチは、前記高さ調節ナットに構成された突起を支持するように構成されるヘッド部と、前記ヘッド部の一端から一定の長さほど伸びて作業者が把持するように構成されるグリップ部と、を含むことが好ましい。
【００１８】
本考案において、前記ヘッド部は、胴体と、前記胴体の一端に構成された高さ調節ナットに構成された突起の挿入される挿入孔と、前記胴体の他端に構成され、前記高さ調節ナットのうち、“Ａ”タイプ又は“Ｃ”タイプにおいて、他側に構成される突起が密着することにより、前記高さ調節ナットの設置及び分解が容易であり、前記グリップが固定するように一定の長さで形成されるサポートネックと、前記胴体の一側に構成された前記高さ調節ナットのうち、“Ｂ”タイプにおいて、ある一つの突起が挿入されるようにして“Ｂ”タイプの高さ調節ナットに対する設置及び分解を可能にする挿入溝と、を含むことが好ましい。
【００１９】
本考案において、前記グリップ部は、一端が前記ヘッド部の一端に固定され、一定の長さで形成される固定管と、前記固定管から一定の長さほど伸びて、必要に応じて、回転モメントを増やして高さ調節ナットに対する設置及び分解を容易にする補助管と、を含むことが好ましい。
【００２０】
本考案において、前記グリップ部は、前記固定管から補助管を引き出せない場合、常に挿入された状態を維持するように弾性力を提供するスプリングと、前記補助管の一端には前記スプリングの弾性力により、前記固定管に復帰することを制限するストッパーと、を含むことが好ましい。
【００２１】
本考案において、前記固定管の内側には、一定の深さを有する少なくとも一つ以上の案内溝を含み、前記補助管の外周縁には、前記案内溝と対応する位置に一定の長さ突出して、前記固定管から補助管を一定の長さほど引き出した状態で高さ調節ナットを設置および分解作業の際、前記固定管を中心にして回転することを防止させる案内突起と、を含むことが好ましい。
【考案の効果】
【００２２】
本考案によれば、規格化した“Ａ”、“Ｂ”及び“Ｃ”タイプの高さ調節ナットに全て適用され、打撃せずにテコの原理を用いて前記高さ調節ナットの設置及び分解がなされて作業の利便性及び容易性を与える建築用のサポートの高さ調節用のレンチを提供することにより、ノイズポリューション防止及び安全事故の発生を防止する効果がある。
【図面の簡単な説明】
【００２３】
図１ａ及び１ｂは、一般的な建築用のサポートの状態図である。
【００２４】
図２は、一般的な建築用のサポートの一例を示した斜視図である。
【００２５】
図３は、一般的な建築用のサポートの結合関係を示した拡大図である。
【００２６】
図４ａ乃至４ｃは、一般的な建築用のサポートの高さ調節ナットの一例を示した図である。
【００２７】
図５は、本考案の第１実施例による高さ調節ナット用のレンチの分離斜視図である。
【００２８】
図６は、本考案の第１実施例による高さ調節ナット用のレンチの結合状態図である。
【００２９】
図７ａ及び７ｂは、本考案の第１実施例による高さ調節ナット用のレンチの作用状態図である。
【００３０】
図８は、本考案の第１実施例による“Ｂ”タイプの高さ調節ナットに作用される高さ調節用ナット用のレンチの作用状態図である。
【００３１】
図９は、本考案の第２実施例による高さ調節ナット用のレンチの分離斜視図である。
【００３２】
図１０は、本考案の第２実施例による高さ調節ナット用のレンチの結合状態図である。
【考案を実施するための形態】
【００３３】
本考案の利点及び特徴、またそれを達成するための方法は、添付図面とともに詳細に後述する実施例を参照すると、最も明らかになる。
【００３４】
本考案は、以下に開示する実施例に限定されず、互いに異なる多様な形態として具現されることができ、ただし、本実施例は本考案の開示が完全になるように、本考案の技術分野における通常の知識を持つ者に考案の範囲を確かに知らせるために提供されることであり、本考案は請求項の範囲により定義されるべきである。明細書の全般において同じ参照符号は同じ構成要素をいう。
【００３５】
以下の実施例においては、よく知られている工程段階、よく知られている構造、及びよく知られている技術は、本考案の曖昧な解析を避けるために具体的な説明は省略する。
【００３６】
本明細書における用語は実施例を説明するためのものであり、本考案を限定しない。本明細書において、単数型は、特に言及しない限り、複数型も含む。
【００３７】
明細書において用いられる“備える”及び/又は“含む”は、言及した構成要素、段階、動作及び/又は素子以外の一つ以上の他構成要素、段階、動作及び/又は素子の存在又は追加を排除しないという意味として使用する。
【００３８】
さらに、“及び/又は”は、それらの前後に言及したたアイテムのそれぞれ及び一つ以上のすべての組合せを含む。
【００３９】
本明細書における実施例は、本考案の理想的な例示図である断面図及び/又は概略図を参照して説明される。
【００４０】
したがって、本考案の実施例は示した特定形態に限らず、製造工程に応じて生成される形態の変化も含むことである。
【００４１】
本考案に示した各図面における各構成要素は、説明の便宜上、多少拡大又は縮小して示すこともある。
【００４２】
以下、本考案の好ましい実施例を添付図面を参照して詳しく説明する。従来の場合と同じ構成については、同じ参照符号を与え、これに対する詳細な説明は省略する。
【００４３】
<第１実施例>
【００４４】
第１実施例の建築用のサポートの高さ調節用レンチ１００は、規格化した“Ａ”、 “Ｂ”、及び“Ｃ”タイプの高さ調節ナット４０にすべて適用され、打撃せずにテコの原理を用いて、前記高さ調節ナット４０の設置及び分解がなされて作業の利便性及び容易性を提供することにより、ノイズポリューション防止及び安全事故の発生を防止する。
【００４５】
前記建築用のサポートの高さ調節用のレンチ１００は、図５乃至図８に示したように、高さ調節ナット４０にかかるヘッド部１１０と、前記ヘッド部１１０の一側から一定の長さで伸びるグリップ部１２０とを含む。
【００４６】
前記ヘッド部１１０は、全般に“Ｃ”形のクランプ形状で形成される胴体１１２からなる。
【００４７】
前記胴体１１２の一端には、高さ調節ナット４０の一側に形成された、突起の挿入される挿入孔１１４が形成される。
【００４８】
また、前記胴体１１２の他端には、“Ａ”及び“Ｃ”タイプにおいて対称な突起(又は調節用のグリップ)が支持されるサポートネック１１６が形成される。
【００４９】
前記サポートネック１１６は前記胴体１１２の他端から一定の長さ伸びてグリップ部１２０との連結及び固定がなされる機能をともに行う。
【００５０】
即ち、前記胴体１１２の一端に形成された挿入孔１１４を通じて“Ａ”又は“Ｃ”タイプの一側に形成された突起を挿入させると、前記“Ａ”又は“Ｃ”タイプの他側に形成された突起部分又は調節用のグリップが前記胴体１１２の他端に形成されたサポートネック１１６の一端と密着した状態を保つことにより、つまり、“Ａ”又は“Ｃ”タイプの高さ調節ナット４０に対する支持が完了する。
【００５１】
また、前記胴体１１２の一側には、“Ｂ”タイプの高さ調節ナット４０で１２０°の等間隔で形成された突起のうち、いずれか一つがかかるように、一定の深さを有する挿入溝１１８が形成される。
【００５２】
前記挿入溝１１８は、“Ｂ”タイプの高さ調節ナット４０で１２０度の等間隔で形成された突起がスムーズに挿入されるように、流線状の溝として形成されることが好ましい。
【００５３】
もちろん、これに限るのではなく、“Ｂ”タイプの高さ調節ナット４０で１２０°の等間隔で形成された突起が安定的に挿入され得る形態の溝なら、どのようなタイプも使用することができる。
【００５４】
これにより、“Ｂ”タイプの高さ調節ナット４０で１２０°の等間隔で形成された突起のうち、いずれか一つに前記胴体１１２の一側に形成された挿入孔１１４に挿入させ、前記挿入孔１１４に挿入された突起と隣接する位置に形成された他の一つの突起が挿入溝１１８に挿入された状態を維持することにより、前記高さ調節ナット４０の設置及び分解の際、作業者が工具の荷重を大きく感じることなく、作業が容易かつ便利に行われるる。
【００５５】
前記グリップ部１２０は前記ヘッド部１１０の一端から一定の長さほど伸び、前記ヘッド部１１０を中心にして回転モメント作用の発生により、高さ調節ナット４０の設置及び分解が容易に行われる。
【００５６】
前記グリップ部１２０は一定の長さを有する固定管１２２を含む。
【００５７】
前記固定管１２２はパイプのような管形状で形成される。
【００５８】
もちろん、その形状はこれに限らず、作業者の把持が容易な形態であり一定の長さを有する形状または構造なら、どのような管も使用可能である。
【００５９】
また、前記固定管１２２の一端には、前記ヘッド部１００のサポートネック１１６の一端が一定の深さほど挿入され、前記ヘッド部１１０とグリップ部１２０との間の確かな固定状態を維持するように支持する。
【００６０】
この場合、前記固定管１２２の一端にサポートネック１１６の一端を一定の深さほど挿入させた後、前記固定管１２２の一端を前記サポートネック１１６に圧着させてから、ウェルディングなどによりシールさせて確かな固定状態を維持するようにする。
【００６１】
さらに、前記固定管１２２の内側には、前記固定管１２２に挿入された状態を維持しながら、必要時に前記固定管１２２の長さを伸ばす機能を行うことにより、回転モーメントを向上させて高さ調節ナット４０の設置及び分解の際、力を増やす補助管１２４を含む。
【００６２】
前記補助管１２４は前記固定管１２２の内側に形成された状態を維持させるように、前記固定管１２２の内径と同じまたは多少小さい外径を有するように構成される。
【００６３】
もちろん、これに限ることでなはく、前記補助管１２４は前記固定管１２２の外側に位置づけて長さを伸ばすように構成されることができ、前記固定管１２２に対する長さを伸ばせる機能を通じてテコの原理を用いて、高さ調節ナット４０に対する回転モーメントを向上させ得る構造又は形態なら、どのようなものも採用できる。
【００６４】
また、前記グリップ部１２０は前記補助管１２４に弾性力を与えるスプリング１２６を含む。
【００６５】
前記スプリング１２６は、前記補助管１２４が前記固定管１２２の内側に常に位置づける状態を維持するようにする弾性力を提供することにより、作業者が前記固定管１２２で補助管１２４を一定の長さほど引き出した後、前記補助管１２４に対する把持力を除去すれば、 補助管１２４が自動に前記固定管１２２に戻るようにする。
【００６６】
この場合、前記スプリング１２６は前記ヘッド部１１０の一端と補助管１２４との間に形成され、前記補助管１２４に弾性力が提供されるようにする。
【００６７】
もちろん、前記スプリング１２６は、前記ヘッド部１１０と補助管１２４との間に構成される構造に限ることではなく、前記補助管１２４が固定管１１２に位置づける状態を維持するように弾性力を提供する構造または形状なら、どのようなものも採択できる。
【００６８】
また、前記補助管１２４の一端には、前記スプリング１２６により固定管１２２に戻るときの復帰を制限させるようにするストッパー１２８が備えられる。
【００６９】
前記ストッパー１２８は前記補助管１２４の一端に固定され、前記固定管１２２の一端にかかるようにすることにより、前記スプリング１２６の弾性力により復帰する補助管１２４が前記固定管１２２の内側に全く嵌め込むことを防止して、その後、前記補助管１２４を使用しようとするとき、容易に把持可能にする。
【００７０】
もちろん、これに限らず、前記ストッパー１２８は補助管１２４が固定管１２２に復帰するとき、復帰を制限させて使用容易性を有するようにする構造または形態なら、どのようなものも採択可能である。
【００７１】
また、前記ストッパー１２８の一端には、前記補助管１２４がスプリング１２６の弾性力により復帰するとき、前記スプリング１２６の弾性力により、ストッパー１２８と固定板１２２との間が衝撃及び衝撃の際に発生するノイズを防止するようにする一定の厚さの緩衝部材１２９を含む。
【００７２】
前記緩衝部材１２９は前記ストッパー１２８と固定管１２２との間に発生する衝撃及びノイズを減少または緩衝することにより、前記ストッパー１２８を保護する。
【００７３】
この場合、前記緩衝部材１２９はゴムやシリコーン又は合成樹脂材からなり、前記ストッパー１２８と固定管１２２との間に発生する衝撃または及びノイズを緩衝させ得る材質なら、どのようなものでも使用可能である。
【００７４】
このように構成された建築用のサポートの高さ調節用のレンチ１００は、上述したように、“Ａ”、“Ｂ”及び“Ｃ”タイプに分けされる高さ調節ナット４０にすべて適用できるように構成されることにより、前記高さ調節ナット４０の設置および分解作業時に発生するノイズまたは安全事故の発生を基本的に防止するようになる。
【００７５】
また、建築用のサポートの高さ調節用のレンチ１００は固定管１２２から一定の長さほど伸びる補助管１２４を構成することにより、テコの原理を用いて、高さ調節ナット４０に対する回転モメントを増やして前記高さ調節ナット４０の設置及び分解作業を容易かつ便利に行わせる。
【００７６】
<第２実施例>
【００７７】
第１実施例と同じ構成については同じ参照符号をつけ、これに対する詳細な説明は省略する。
【００７８】
第２実施例の建築用のサポートの高さ調節用のレンチ１００は、図９及び図１０に示したように、ヘッド部１１０とグリップ部１２０とを含む。
【００７９】
前記グリップ１２０は、固定管１２２と補助管１２４とを含む。
【００８０】
前記固定管１２２には、一定の深さを有する案内溝１２３が構成される。
【００８１】
前記案内溝１２３は前記固定管１２２の内側面において前記固定管１２２の長さ方向に沿って形成される。
【００８２】
さらに、前記案内溝１２３は複数で備えられる。
【００８３】
この場合、前記案内溝１２３は互いに対称な方向に形成される。
【００８４】
前記補助管１２４には外周縁に一定の長さほど突出する案内突起１２５が形成さるる。
【００８５】
前記案内突起１２５は前記案内溝１２３に挿入されるように構成される。
【００８６】
このような構成により、前記固定管１２２から補助管１２４を引き出して高さ調節ナット４０の設置及び分解作業を行うとき、前記固定管１２２を基準として回転モメント作用による前記補助管１２４の回転を防止することができ、これにより、スムーズな設置及び分解作業を回転による干渉無しに提供することができる。
【００８７】
上述した実施例は建築用のサポートの高さ調節用のレンチを実施するための一実施例であり、本考案は上述した実施例に限らない。本考案に属する該当技術分野における通常の知識を持つ者なら、本考案の思想を逸脱しない範囲で、様々に修正及び変更が可能なのは明らかである。
【符号の説明】
【００８８】
１００:高さ調節ナット用のレンチ、１１０:ヘッド部、１１２:胴体、１１４:挿入孔、１１６:サポートネック、１１８:挿入溝、１２０:グリップ部、１２２:固定管、１２３:案内溝、１２４:補助管、１２５:案内突起、１２６:スプリング、１２８:ストッパー、１２９:緩衝突起
【図１ａ】
0003219922.tif 000003
【図１ｂ】
0003219922.tif 000004
【図２】
0003219922.tif 000005
【図３】
0003219922.tif 000006
【図４ａ】
0003219922.tif 000007
【図４ｂ】
0003219922.tif 000008
【図４ｃ】
0003219922.tif 000009
【図５】
0003219922.tif 000010
【図６】
0003219922.tif 000011
【図７ａ】
0003219922.tif 000012
【図７ｂ】
0003219922.tif 000013
【図８】
0003219922.tif 000014
【図９】
0003219922.tif 000015
【図１０】
0003219922.tif 000016